(57)【要約】  【課題】  抵抗比条件が十分満たされない場合に、補正される収差の分布が従来の光ヘッド装置で得られる分布よりもより同心円に近い分布を維持することが可能な光ヘッド装置を提供すること。  【解決手段】  光ヘッド装置の位相補正素子を構成する給電側導電体１６に同心円状または略同心円状に設けられた制御電圧印加用の複数の給電部２０１〜２０３は、少なくとも給電部２０１〜２０３のうち最も内側の給電部２０１を除く各給電部２０２、２０３は、一部が切断された開放部２１０を有し、開放部が設けられた給電部２０２、２０３は、それぞれ、制御電圧を印加する信号入力部２０７が同心円の中心に対して開放部２１０の反対側の位置に設けられている構成を有している。【選択図】  図２
2005100567.tif 000002
【特許請求の範囲】
【請求項１】
光源と、前記光源からの出射光を光記録媒体上に集光させるための対物レンズと、前記光源と前記対物レンズとの間に設けられ、前記出射光の波面を変化させる位相補正素子と、前記位相補正素子を制御して前記出射光の波面を変化させるための制御電圧を発生する制御電圧発生手段とを備えた光ヘッド装置において、
前記位相補正素子は、一対の基板と、一対の前記基板の間に挟持され、前記出射光の波面を変化させるための異方性光学媒質と、前記異方性光学媒質の１つの側面近傍に設けられた共通導電体と、前記共通導電体が近傍に設けられた前記異方性光学媒質の側面に対向する側面近傍に設けられた給電側導電体と、前記共通導電体と前記給電側導電体との間に前記制御電圧を印加可能に設けられた複数の給電部とを有し、
各前記給電部は、前記給電側導電体に同心円状または略同心円状に設けられ、少なくとも各前記給電部のうち最も内側の給電部を除く各給電部は、一部が切断された開放部を有し、前記開放部が設けられた給電部は、それぞれ、制御電圧を印加する信号入力部が前記同心円の中心に対して前記開放部の反対側の位置に設けられている光ヘッド装置。
【請求項２】
前記開放部を有する給電部のうちいずれか１つ以上が複数の開放部を有するとき、複数の前記開放部を有する給電部の前記信号入力部は、前記隣り合う開放部を結ぶ給電部の中央近傍に設けられた請求項１に記載の光ヘッド装置。
【請求項３】
少なくとも前記給電側導電体は、酸化スズＳｉＯ２を５０ｍｏｌ％以上含有する酸化物の透明導電膜で形成されている請求項１の光ヘッド装置。
【発明の詳細な説明】
【技術分野】
【０００１】
本発明は、光ディスクなどの光記録媒体に記録し、または再生を行う光ヘッド装置に関する。
【背景技術】
【０００２】
近年、光ディスク等の光記録媒体の記録密度を高めるために、光源からの出射光の波長を短くし、対物レンズの開口数を大きくする方法が実用化されてきた。しかし、出射光の波長を短くし、対物レンズの開口数を大きくすることは、光記録媒体からの情報の読み書きに及ぼすコマ収差や球面収差等の影響を深刻化した。
【０００３】
光記録媒体に情報を記録し、または再生する際のコマ収差や球面収差等を補正する方法の一つとして、対物レンズと光源との間に位相補正素子を設けてコマ収差や球面収差等の波面収差を補正する方法がある。位相補正素子を用いる補正方法では、位相補正素子に設けられた電極を複数に分割し、分割して得られた電極の各々の電位を制御することによって液晶等の複屈折材料に印加される電圧を制御して屈折率を変化させ、光源からの出射光の波面収差を補正するようにしていた。
【０００４】
しかし、このように位相補正素子に設けられた電極を分割する方法では、電極ごとに通過する光の波面の変化量が決まってしまい、隣り合う電極間で波面を連続的に変化させることが困難であった。そこで、複数の給電部を配置し、給電部間で電位降下を生じさせ電圧分布を生じさせる方法をとることによって、波面収差の変化量が大きい領域の波面を連続的に変化させる技術が開発された。
【０００５】
図５は、球面収差を補正するために用いられる位相補正素子の従来の電極パターンを示す図である（例えば、特許文献１参照。）。図５において、位相補正素子の１つの側面には、高抵抗の透明導電膜で形成された部分導電体（図５の斜線部）５６と、同心円状に形成された複数の給電部２０１〜２０３と、給電部２０１〜２０３のそれぞれに導通可能に接続された配線２０４〜２０６とが設けられ、配線２０４〜２０６を介して給電部２０１〜２０３に制御用の電圧が印加され、給電部２０１〜２０３を介して部分導電体５６に電圧分布が形成されるようになっている。
【０００６】
例えば、配線２０５を介して入力される信号２の電圧と、配線２０４を介して入力される信号１の電圧との間に電圧差がある場合、給電部２０２と給電部２０３との間に電位差が発生し、この電位差によって部分導電体５６を介して電流が流れ、給電部２０２と給電部２０３との間の部分導電体５６で電位降下による滑らかな電位分布が発生し、その結果、複屈折材料の両端に滑らかな電圧分布が形成されることになる。
【０００７】
一般に、部分導電体の抵抗値が給電部の抵抗値に比べて十分に高ければ（以下、この条件を抵抗比条件という。）、給電部内での電圧降下は部分導電体内での電圧降下に比べて無視できる。つまり、給電部２０２の信号入力部５０７と終端部５０８では電位はほぼ等しく、位相補正素子内で概ね同心円状の電圧分布を発生することが可能である。しかし、抵抗比条件が成り立たない場合、給電部内での電位降下が無視できなくなり、給電部２０２の信号入力部５０７と終端部５０８で複屈折材料に印加される電圧の差は増大し、同心円状の電圧分布が崩れてしまう。その結果、良好に球面収差等を補正できなくなる。
【特許文献１】特開２００３―０３６５５５公報  （図３）
【発明の開示】
【発明が解決しようとする課題】
【０００８】
しかし、上記の抵抗比条件は必ずしも十分に満たされるとは限らず、このような従来の光ヘッド装置では、抵抗比条件が十分満たされない場合に、位相補正素子内で発生させる電圧分布を同心円状の分布に近づけるための十分な考慮がなされていないため、球面収差等を十分に補正できない場合が生ずる問題があった。
【０００９】
本発明はこのような問題を解決するためになされたもので、上記の抵抗比条件が十分満たされない場合に、補正される収差の分布が従来の光ヘッド装置で得られる分布よりもより同心円に近い分布を維持することが可能な光ヘッド装置を提供するものである。
【課題を解決するための手段】
【００１０】
以上の点を考慮して、請求項１に係る発明は、光源と、前記光源からの出射光を光記録媒体上に集光させるための対物レンズと、前記光源と前記対物レンズとの間に設けられ、前記出射光の波面を変化させる位相補正素子と、前記位相補正素子を制御して前記出射光の波面を変化させるための制御電圧を発生する制御電圧発生手段とを備えた光ヘッド装置において、前記位相補正素子は、一対の基板と、一対の前記基板の間に挟持され、前記出射光の波面を変化させるための異方性光学媒質と、前記異方性光学媒質の１つの側面近傍に設けられた共通導電体と、前記共通導電体が近傍に設けられた前記異方性光学媒質の側面に対向する側面近傍に設けられた給電側導電体と、前記共通導電体と前記給電側導電体との間に前記制御電圧を印加可能に設けられた複数の給電部とを有し、各前記給電部は、前記給電側導電体に同心円状または略同心円状に設けられ、少なくとも各前記給電部のうち最も内側の給電部を除く各給電部は、一部が切断された開放部を有し、前記開放部が設けられた給電部は、それぞれ、制御電圧を印加する信号入力部が前記同心円の中心に対して前記開放部の反対側の位置に設けられている構成を有している。
【００１１】
この構成により、複数の給電部が同心円状または略同心円状に設けられ、信号入力部が同心円の中心に対して開放部の反対側の位置に設けられているため、給電部から開放部までの距離のうち最長のものを従来に比べて短縮できるため、抵抗比条件（部分導電体の抵抗値が給電部の抵抗値に比べて十分に高いという条件）が十分満たされない場合に、補正される収差の分布が従来の光ヘッド装置で得られる分布よりもより同心円に近い分布を維持することが可能な光ヘッド装置を実現できる。
【００１２】
また、請求項２に係る発明は、請求項１において、前記開放部を有する給電部のうちいずれか１つ以上が複数の開放部を有するとき、複数の前記開放部を有する給電部の前記信号入力部は、前記隣り合う開放部を結ぶ給電部の中央近傍に設けられた構成を有している。
【００１３】
この構成により、信号入力部が隣り合う開放部を結ぶ給電部の中央近傍に設けられたため、抵抗比条件が十分満たされない場合に、複数の開放端を設けるようにしたときでも、補正される収差の分布が従来の光ヘッド装置で得られる分布よりもより同心円に近い分布を維持することが可能な光ヘッド装置を実現できる。
【００１４】
また、請求項３に係る発明は、請求項１または２において、少なくとも前記給電側導電体は、酸化スズＳｉＯ２を５０ｍｏｌ％以上含有する酸化物の透明導電膜で形成されている構成を有している。
【００１５】
この構成により、請求項１または２の効果に加え、少なくとも給電側導電体が、酸化スズＳｉＯ２を５０ｍｏｌ％以上含有する酸化物の透明導電膜で形成され、安定した抵抗値を実現できるため、経時変化の少ない収差補正特性を有する光ヘッド装置を実現できる。
【発明の効果】
【００１６】
以上説明したように、本発明は、抵抗比条件（部分導電体の抵抗値が給電部の抵抗値に比べて十分に高いという条件）が十分満たされない場合に、補正される収差の分布が従来の光ヘッド装置で得られる分布よりもより同心円に近い分布を維持することが可能な光ヘッド装置を実現できる。
【発明を実施するための最良の形態】
【００１７】
以下、本発明の実施の形態について、図面を用いて説明する。
【００１８】
本発明の実施の形態に係る光ヘッド装置は、光源と、光源からの出射光を光記録媒体上に集光させるための対物レンズと、光源と対物レンズとの間に設けられ、出射光の波面を変化させる位相補正素子と、位相補正素子を制御して出射光の波面を変化させるための制御電圧を発生する制御電圧発生手段とを備えた構成を有する。
【００１９】
ここで、光源は、例えば半導体レーザ等によって構成される。また、光記録媒体とは、例えば光ディスクやＤＶＤ等の光源からの光を照射して読み書きする記録媒体をいう。以下では、「光ディスク」という場合は、特に断る場合を除き、光記録媒体を代表しているものとする。
【００２０】
なお、光ヘッド装置の光学系を、光源からの出射光と光記録媒体からの反射光を分離するための偏光ビームスプリッタ、偏光ビームスプリッタを通過した光を平行光にするコリメートレンズ、往復透過することで偏光方向を９０°変えるための４分の１波長板を含むように構成するのでもよい。このような構成の場合、光源（例えば、半導体レーザ）から出射された直線偏光の出射光は、偏光ビームスプリッタを通過した後、コリメートレンズによって平行光とされ、位相補正素子、４分の１波長板を順次透過し、対物レンズにより光ディスク上に集光される。
【００２１】
そして、情報の記録は、光ディスクに集光する光の強度を、例えば符合化された情報（例えば、「０」、「１」）に応じて変化させることによって行われる。また、情報の再生は、光ディスク上に集光された光が光ディスクで反射され、対物レンズ、４分の１波長板、位相補正素子、コリメートレンズを順次、情報の記録の場合とは逆向きに通過し、偏光ビームスプリッタにより振り分けられて光検出器に入射する。
【００２２】
制御電圧発生手段は、光ディスクに情報を正確に記録したり、記録された情報を正確に再生したりできるよう位相補正素子を制御する信号（以下、単に「制御信号」という。）を発生し、制御信号の電圧（以下、制御電圧という。）を介して位相補正素子を制御するようになっている。この制御電圧は、光ディスクのチルトや対物レンズのシフトにより発生した収差に応じて制御電圧発生手段によって調整される。
【００２３】
位相補正素子は、光記録媒体からの情報の読み書きを正確に行うことができるように光の位相や収差を補正するように設けられたものであり、印加される制御電圧に応じて収差等の補正量を変えるように制御される。具体的には、光ディスクに集光する光の例えばスポット径を最適化するように、または光検出器に入射する光強度を最適化するように、制御される。
【００２４】
位相補正素子における光の位相を変化させる媒質は異方性光学媒質であり、異方性光学媒質は、外部より印加される電圧により、再現性よくかつ電圧の大きさに対して連続的に屈折率を変化できるものがよい。異方性光学媒質としては、ニオブ酸リチウムの単結晶、液晶などが使用できるが、低い電圧で屈折率を変化できかつ位相補正素子の生産性が高いことから液晶が好適である。以下では、特に断る場合を除き、異方性光学媒質を液晶として説明する。
【００２５】
図１は、本発明の実施の形態に係る光ヘッド装置を構成する位相補正素子の断面構造を示す図である。図１において、位相補正素子１００は、一対の基板１１、１７と、一対の基板１１、１７間に挟持され、出射光の波面を変化させるための異方性光学媒質（液晶）１４と、一対の基板１１、１７と共に異方性光学媒質（液晶）１４を保持し、密閉するシール材１８、１９と、配向板１３、１５と、異方性光学媒質（液晶）１４の１つの側面近傍に設けられた共通導電体１２と、共通導電体１２が近傍に設けられた異方性光学媒質（液晶）１４の側面に対向する側面近傍に設けられた給電側導電体１６と、給電側導電体１６に制御電圧を印加可能に設けられた複数の給電部２０（図１の紙面と垂直な方向に他の給電部が設けられている。）と、共通導電体１２との導通をとるための給電部２２とを含むように構成される。
【００２６】
基板１１、１７は、使用する光の波長に対して透明であればよく、ガラス、アクリル系樹脂、エポキシ系樹脂、塩化ビニル系樹脂、ポリカーボネート系樹脂などが使用できるが、耐久性、コストや加工の容易さの観点からガラスが好適である。なお、図示していないが、基板１１、１７の外側の面、すなわち、異方性光学媒質（液晶）１４に面していない側の面に反射防止コートが施されてもいるのでもよい。
【００２７】
配向板１３は、基板１１または共通導電体１２と異方性光学媒質（液晶）１４とに挟まれた位置に配置され、配向板１５は、基板１７または給電側導電体（部分給電側導電体）１６と異方性光学媒質（液晶）１４とに挟まれた位置に配置され、異方性光学媒質（液晶）１４に制御電圧が印加されていない場合等に液晶分子を所定の方向に配向させるために設けられている。
【００２８】
シール材１８には図１に概念的に示すように導電性ビーズ２１が含まれ、導電性ビーズを介して給電部２２と共通導電体１２とが電気的に導通が確保されている。ここで、導電性ビーズは、例えば、樹脂ビーズの表面に金属を被覆する等によって形成できる。
【００２９】
共通導電体１２と給電側導電体１６との間には、給電部２０、２２経由で制御電圧が印加されるようになっており、給電側導電体１６と共通導電体１２は、例えば透明導電膜によって構成される。透明導電膜としては、例えば、いわゆるＩＴＯ等のスズ酸化物、亜鉛酸化物、それらの混合物などが用いることができる。また、スズと珪素の酸化物の混合物（ＳｎｘＳｉ（１−ｘ）Ｏｙ、ｘ＝０．５から０．９９かつｙは概ね２）の薄膜（以下、ＳＳＯ薄膜という。）を用いると、安定した抵抗を得ることができて好ましい。給電側導電体１６や共通導電体１２を形成するための薄膜は、例えばスパッタ法によって形成するのでもよいが、その他の方法でもよい。
【００３０】
各給電部２０と給電部２２との間にそれぞれ異なる制御電圧を印加すると、隣り合う給電部２０との間に生じた電位差により給電側導電体１６内に電流が流れ、給電側導電体１６内に電位分布が発生する。その結果、給電側導電体１６と共通導電体１２との間に印加される電圧が電圧分布を有し、この電圧分布に応じて異方性光学媒質（液晶）１４の屈折率の分布が決定されることになる。
【００３１】
したがって、この屈折率の分布は、複数の給電部２０に印加する制御電圧を調整することによって制御できることとなり、異方性光学媒質（液晶）１４を通過する光の波面は、異方性光学媒質（液晶）１４の屈折率に応じて変化するため、制御電圧を介して異方性光学媒質（液晶）１４を通過する光の波面収差を補正できる。
【００３２】
一般に、位相補正素子１００では、給電部２０内で発生する電位降下が給電側導電体１６内で発生する電位降下に比して無視できるほど少ないようにしたい。そのためには、給電側導電体１６のシート抵抗ρTと給電部２０のシート抵抗ρSとの比ρT／ρSが１０３以上１０１０以下であることが好ましい。ρT／ρSが１０００未満の場合、給電部２０内で電圧降下が発生し、給電側導電体１６内で所望の電位分布を得ることが困難になる。また、給電側導電体１６のシート抵抗ρTが高すぎると、給電側導電体１６の導電性が低くなり、適切な電位分布を発生することが困難になる。したがって、給電部２０のシート抵抗ρSをできるだけ低くする方が望ましく、具体的には、０．１〜１０Ω／□程度とするのが好適であり、これに対応して給電側導電体１６のシート抵抗ρTは、１００〜１００ｋΩ／□程度とするのが好適である。
【００３３】
このように、給電側導電体１６用の薄膜としては、透明でありかつシート抵抗が上述のρTの範囲のものであればよいが、このような範囲のシート抵抗の実現の容易性や、薄膜形成後のシート抵抗の経時変化の少なさの観点から、給電側導電体１６用の薄膜としては、上記のＳＳＯ薄膜等の酸化スズＳｉＯ２を５０ｍｏｌ％以上含有する酸化物の透明導電膜を用いるのが好適である。
【００３４】
給電部２０としては、ρSが０．１〜１０Ω／□の透明薄膜であればよく、Ｃｒ、Ａｇ、Ａｌなどの金属は耐久性がよいという点で好ましく、低抵抗のＳＳＯ薄膜、低抵抗ＩＴＯ薄膜等の透明電極は遮光部分が発生せず光の透過率が向上するという点で好ましい。
【００３５】
図２は、球面収差を補正するために形成された給電側導電体１６および給電部２０の配置パターン（以下、単に「配置パターン」という。）の一例を示す平面図である。図２において、斜線部はほぼ円形の給電側導電体１６が形成された部分を示し、給電部２０は、光軸の中心（または給電側導電体１６の中心。光軸の中心と給電側導電体１６の中心とは略一致するようになっているものとする。）を同心円状に取り巻くように３つの環状部分（各給電部の符号をそれぞれ、２０１、２０２、２０３とする。）とによって構成され、給電側導電体１６は、給電部２０１〜２０３によってほぼ環状の領域に分割されている。以下では、給電部２０１〜２０３以外の給電部２０に属する部分を配線という。
【００３６】
図２に示すように、給電部２０１〜２０３には、配線２０４、２０５経由で制御電圧が印加されるようになっている。図２に示す配置パターンの例では、給電部２０１と給電部２０３が素子内で結線され同一の信号が印加される。ここで、給電部２０２は、給電部２０１からの配線２０４を通すために、環状の電極の一部（図中「２１０」で示す部分。以下、開放部という。）が切断され、配線２０４と短絡しないようになっている。また、配線２０４が給電側導電体１６と接触することによって同心円状の電位分布が乱されないようにするために、配線２０４を設ける部分の給電側導電体１６は除去されている。さらに、配線２０５と給電部２０２とが接続されて信号２が入力される点（以下、信号入力部という。）２０７は、光軸の中心（または給電側導電体１６の中心）に対して開放部２１０の反対側の位置に設けられている。
【００３７】
同様に、給電部２０３は、給電部２０２からの配線２０５を通すために、環状の電極の一部が切断され、配線２０５と短絡しないようになっている。また、配線２０５が給電側導電体１６と接触することによって同心円状の電位分布が乱されないようにするために、配線２０５を設ける部分の給電側導電体１６は除去されている。さらに、給電部２０３の信号入力部は、光軸の中心（または給電側導電体１６の中心）に対して給電部２０３の開放部の反対側の位置に設けられている。
【００３８】
その結果、配線２０４と配線２０５とは、光軸の中心（または給電側導電体１６の中心）点に対して互いに対抗する方向から給電部２０１〜２０３に接続されるように形成されている。このようにすることによって、例えば給電部２０２の信号入力部２０７と、切断された給電部２０２の終端部２０８、２０９との間の距離を、図５に示す従来の配置パターンにおける対応する距離（点５０７と点５０８との間の距離）の半分にできる。そのため、従来の配置パターンに比して電位分布の乱れを抑え、同心円状に近い電位分布を実現できる。換言すれば、給電側導電体１６や給電部２０１〜２０３の抵抗値のマージンを広げることができる。
【００３９】
給電部２０１、２０３に入力される信号１と給電部２０２に入力される信号２の電位が異なるときには、給電側導電体１６を介して電流が流れる。電流が流れることによる電圧降下量は、電流値と抵抗の積で表される。給電側導電体１６の抵抗値を給電部２０１〜２０３の抵抗値より低くすることによって、電圧降下は、主に給電側導電体１６内において生じ、信号入力部２０７の電位と給電部２０２の終端部２０８、２０９の電位とは、ほぼ等しくなる。このようにして、給電側導電体１６には同心円状の電位分布を発生させることができる。しかしながら、給電側導電体１６の抵抗値に対する給電部２０１〜２０３の抵抗値の比（抵抗比）が小さくなると、給電部内での電圧降下も無視できなくなる。
【００４０】
同様に、給電側導電体１６に同心円状の電位分布を発生させることができる配置パターンの他の例が、図３および図４に示されている。図３に、給電部２０３の幅が広く取れる場合の給電部２０３に接続する配線３０６（図２に示す配線２０４の延長部分に対応）の設け方の一例を示す。このようにすることによって、信号の入力端を接近して配置したり、給電部２０３から出る配線の長さを短縮したりできる。図３において、図２と同符号を付して示す要素は、図２と同じものを示す。さらに、図４に示すように、給電部２０１と給電部４０３ａ、４０３ｂとを独立の電位にできるような配置パターンとするのでもよい。図４の４０４、４０６ａおよび４０６ｂは、それぞれ、給電部２０１への配線、給電部４０３ａへの配線、給電部４０３ｂへの配線である。なお、本発明に係る光ヘッド装置を構成する位相補正素子の配置パターンは、図２〜図４に示すものに限られず、切断された給電部の信号入力部から終端部までの間の電気抵抗を従来の方法より低減することが可能な配置パターンであればよい。
【実施例】
【００４１】
本実施例の光ヘッド装置は、光ディスクの厚さムラにより生ずる球面収差を補正する位相補正素子を備えている。この位相補正素子の素子構造は、図１に示したものと同じである。本実施例における位相補正素子の給電側導電体１６および給電部２０の配置パターンは、図２に示すものである。
【００４２】
図２において、給電側導電体１６（斜線部）は、ＳＳＯ薄膜で形成され、給電部２０１〜２０３（環状のグレイの領域）はクロム薄膜の成膜の後にエッチング技術を用いて形成されたものである。配線２０４、２０５やその他の配線は、給電部が形成された基板面と同一の基板面上に、給電部の形成方法と同様の方法で形成されたものである。給電部２０１〜２０３には、クロム薄膜の配線を介して制御電圧が印加される。また、給電部２０１〜２０３の線幅はほぼ１００μｍであり、給電部２０１〜２０３の平均直径はそれぞれほぼ０．４、１．１、１．５ｍｍであった。
【００４３】
上記の給電側導電体１６、給電部２０１〜２０３等の配置パターンを、以下のように形成した。まず、スパッタ法によってガラス基板上にクロム膜を堆積させ、その後、エッチング技術を用いて配置パターンとして残す部分以外の不要部分を除去し、給電部２０１〜２０３を形成した。配線についても同様である。
【００４４】
次に、給電部２０１〜２０３を形成した基板上に、スパッタ法によりＳＳＯ薄膜を成膜し、フォトレジストによるリフトオフ法により不要部分を除去することにより、給電側導電体１６を形成した。給電側導電体１６のシート抵抗と、給電部２０１〜２０３に使用した薄膜のシート抵抗は、それぞれ１００ｋΩ／□、１Ω／□であった。
【００４５】
次に、給電側導電体１６等が形成された基板上に、ポリイミドをスピンコートして配向膜を形成した。もう一方の基板に配向膜を形成する場合も同様である。基板上に形成したポリイミド膜をラビング法により配向処理をした後、エポキシ樹脂を基板に印刷してシール材を形成した。そして、この基板と同様の処理を施した対向する基板とをアライメントして重ねた後、シール材を硬化させて空のセルを作成した。空のセルに液晶を真空注入法によって注入し、封止材を用いて液晶注入口を封止し位相補正素子を完成させた。
【００４６】
この位相補正素子に、給電部２０１、２０３への信号１の電位Ｖ1を２Ｖｒｍｓ、給電部２０２への信号２の電位Ｖ2を３Ｖｒｍｓとすることで、良好な球面収差補正特性を得ることができた。また、経時的にその性能が劣化することがなく、光ヘッド装置の光源と対物レンズとの間に位相補正素子として設置することにより、球面収差の補正特性が優れた装置となったとともに、故障の少ない装置が得られた。
【００４７】
以上説明したように、本発明の実施の形態に係る光ヘッド装置は、複数の給電部が同心円状または略同心円状に設けられ、信号入力部が同心円の中心に対して開放部の反対側の位置に設けられているため、給電部から開放部までの距離のうち最長のものを従来に比べて短縮できるため、抵抗比条件が十分満たされない場合に、補正される収差の分布が従来の光ヘッド装置で得られる分布よりもより同心円に近い分布を維持できる。
【００４８】
また、信号入力部が隣り合う開放部を結ぶ給電部の中央近傍に設けられたため、抵抗比条件が十分満たされない場合に、複数の開放端を設けるようにしたときでも、補正される収差の分布が従来の光ヘッド装置で得られる分布よりもより同心円に近い分布を維持できる。
【００４９】
さらに、少なくとも給電側導電体が、酸化スズＳｉＯ２を５０ｍｏｌ％以上含有する酸化物の透明導電膜で形成され、安定した抵抗値を実現できるため、経時変化の少ない収差補正特性を有する光ヘッド装置を実現できる。
【産業上の利用可能性】
【００５０】
本発明に係る光ヘッド装置は、抵抗比条件が十分満たされない場合に、補正される収差の分布が従来の光ヘッド装置で得られる分布よりもより同心円に近い分布を維持できるという効果を有し、光を利用して情報の読み書きを行う光ヘッド装置の産業分野等での用途にも適用できる。
【図面の簡単な説明】
【００５１】
【図１】本発明の実施の形態に係る光ヘッド装置を構成する位相補正素子の原理的な構成の一例を示す概念的断面図。
【図２】本発明の実施の形態に係る光ヘッド装置を構成する位相補正素子に形成された給電側導電体および給電部のパターンの一例を示す図。
【図３】本発明の実施の形態に係る光ヘッド装置を構成する位相補正素子に形成された給電側導電体および給電部のパターンの他の一例を示す図。
【図４】本発明の実施の形態に係る光ヘッド装置を構成する位相補正素子に形成された給電側導電体および給電部のパターンの他の一例を示す図。
【図５】従来の光ヘッド装置を構成する位相補正素子に形成された給電側導電体および給電部のパターンの一例を示す図。
【符号の説明】
【００５２】
１１、１７  基板
１２  共通導電体
１３、１５  配向板
１４  異方性光学媒質（液晶）
１６  給電側導電体
１８、１９  シール材
２０、２２  給電部
２１  導電性ビーズ
５６  部分導電体
１００  位相補正素子
２０１〜２０３、４０３ａ、４０３ｂ  給電部
２０４、２０５、２０６、３０６、４０４、４０６ａ、４０６ｂ  配線
２０７、５０７  信号入力部
２０８、２０９、５０８  終端部
２１０  開放部
【図１】
2005100567.tif 000003
【図２】
2005100567.tif 000004
【図３】
2005100567.tif 000005
【図４】
2005100567.tif 000006
【図５】
2005100567.tif 000007